(57)【要約】【課題】相手端子との接触時にハウジングの内部で接触部を遊動させることができる一方で、基板への実装時には基板との接続部と基板の所定の穴との位置決めを容易に行うことができる端子等を提供することを目的とする。更に、このような端子において、ハウジング内で端子が過剰に遊動することによって、端子が破壊されまた有効嵌合長が短くなることを防止することを目的とする。【解決手段】相手端子と接触する接触部と、接続部を有する固定部と、前記接触部と前記固定部を連結する弾性変位部と、前記相手端子との接触方向において前記接触部から離間し、前記接触部の挙動時に該接触部と衝突可能な状態で前記接触部と対向しているストッパ部材と、を備える。【選択図】図３
2019153490.tif 000002
【特許請求の範囲】
【請求項１】
相手端子と接触する接触部と、
接続部を有する固定部と、
前記接触部と前記固定部を連結する弾性変位部と、
前記相手端子との接触方向において前記接触部から離間し、前記接触部の挙動時に該接触部と衝突可能な状態で前記接触部と対向しているストッパ部材と、
を備えることを特徴とする端子。
【請求項２】
前記接触部は前記相手端子が収容される略筒状の端子挿入空間を有する、請求項１に記載の端子。
【請求項３】
前記端子挿入空間に前記接触方向に延びる接触片が設けられている、請求項２に記載の端子。
【請求項４】
前記弾性変位部と前記ストッパ部材はそれぞれ前記接触方向に延在し、前記接触方向において前記弾性変位部と前記ストッパ部材はそれらの少なくとも一部で重複する、請求項１乃至３のいずれかに記載の端子。
【請求項５】
前記ストッパ部材は、前記相手端子との接触側に、前記接触部の挙動時に該接触部と衝突可能な縁部を含む、請求項４に記載の端子。
【請求項６】
前記弾性変位部は、前記端子の内部に向かって折り曲げられている、請求項４又は５に記載の端子。
【請求項７】
前記端子は一枚の金属板から形成されている、請求項１乃至６のいずれかに記載の端子。
【請求項８】
前記固定部が前記ストッパ部材として機能する、請求項１乃至７のいずれかに記載の端子。
【請求項９】
請求項１乃至８のいずれかに記載の端子が複数配列されたコネクタ。
【請求項１０】
複数の請求項１乃至８のいずれかに記載の端子と、ハウジングと、を有し、
前記ハウジングには、複数の前記端子がそれぞれ設置される複数の端子設置空間が配列されており、
複数の前記端子設置空間は各々、前記ハウジングに設けた挿通口と連通しており、
前記端子の固定部は、前記端子設置空間に固定され、
前記端子の接触部は、前記端子設置空間に遊挿され、前記弾性変位部を通じて遊動可能に設けられていることを特徴とするコネクタ。
【請求項１１】
前記端子は、前記接触部と、前記ストッパ部材及び前記固定部を前記接触方向に沿って有しており、
前記端子は更に、前記ストッパ部材及び前記固定部の、前記接触部とは反対側の端部に、前記接触方向に沿って延びる接続部を有しており、複数の前記接続部は各々、ＦＰＣ基板に設けた複数の貫通穴のそれぞれに挿通されている、請求項１０に記載のコネクタ。
【請求項１２】
請求項９乃至１１のいずれかに記載のコネクタと、前記相手端子が複数配列された相手コネクタと、から成るコネクタ装置。
【発明の詳細な説明】
【技術分野】
【０００１】
本発明は、ハウジングに遊挿される接触部を備えた端子、及び、この端子を用いたコネクタ、及び、このコネクタと相手コネクタとから成るコネクタ装置に関する。
【背景技術】
【０００２】
例えば、特許第６０８７３３５号（特許文献１）等の多くの文献に記載されているように、端子をハウジングに固定するためにランスがよく利用される。ランスを利用した場合、端子はハウジングに固定されずに、遊挿されることになる。従って、相手端子との接触時には、端子は相手端子の動きに応じてハウジングの内部で遊動し、この挙動は相手端子とのスムーズな接触に貢献することとなる。
【先行技術文献】
【特許文献】
【０００３】
【特許文献１】特許第６０８７３３５号
【発明の概要】
【発明が解決しようとする課題】
【０００４】
ランスを利用して端子をハウジングに固定し、それをハウジングの内部で遊動させることには、このように多くの利点があるが、一方で、問題を生じさせることもある。
例えば自動車用のコネクタには、大量の、例えば１００本以上の、端子をコネクタに配列させることがある。コネクタはリジット基板やフレキシブル基板（ＦＰＣ）のような基板に実装した状態で用いられるが、これら大量の端子を配列したコネクタを例えば、FPCに実装するには、それら全ての端子の接続部を、各接続部に対応して設けた基板の所定のＳＭＴパットの穴に位置決めして挿通させた後に半田付けを行うことが必要となる。
【０００５】
しかしながら、端子の数が増すにつれて、位置決めの精度を保つことは困難となる。低い精度での位置決めは、半田付けを不可能又は不十分なものとし、不十分な半田付けは、後に応力が生じた場合に半田クラックを生じさせる要因ともなり得る。
【０００６】
本発明はこのような従来の問題点を解決するためになされたものであり、相手端子との接触時にはハウジングの内部で接触部を遊動させることができる一方で、基板への実装時には基板との接続部と基板の所定の穴との位置決めを容易に行うことができる端子、この端子を用いたコネクタ、及び、このコネクタと相手コネクタとから成るコネクタ装置を提供することを目的とする。更に、このような端子において、ハウジング内で端子が過剰に遊動することによって、端子が破壊されまた有効嵌合長が短くなることを防止することを目的とする。
【課題を解決するための手段】
【０００７】
上記の課題を解決するため、本発明の一態様による端子は、相手端子と接触する接触部と、接続部を有する固定部と、前記接触部と前記固定部を連結する弾性変位部と、前記相手端子との接触方向において前記接触部から離間し、前記接触部の挙動時に該接触部と衝突可能な状態で前記接触部と対向しているストッパ部材と、を備えることを特徴として有する。
この態様の端子によれば、相手端子との接触部が弾性変位部を介して固定部に連結されているため、接触部をハウジングに遊挿させることにより、相手端子との接触時にハウジングの内部で接触部を遊動させることができる一方、固定部を通じて接続部をコネクタに対して位置決めすることにより、基板への実装時には基板との接続部と基板の所定の穴との位置決めを容易に行うことができる。また、このような端子において、ストッパ部材を設けたことにより、ハウジング内で端子が過剰に遊動することによって、端子が破壊されまた有効嵌合長が短くなることを防止することができる。更に、固定部を設けたことから、ハウジングにランスを設ける必要がなくなり、この結果、ハウジングを製造するための金型構造を簡易なものとすることができる。
上記態様の端子において、前記固定部が前記ストッパ部材として機能してもよい。
【０００８】
また、上記態様の端子において、前記接触部は前記相手端子が収容される略筒状の端子挿入空間を有するのが好ましい。
端子挿入空間を形成することにより、接触部と相手端子との接触をより確実に行うことができる。
また、端子挿入空間を略筒状とすることにより、相手端子との接触をより確実に行うことができるとともに、例えば、端子挿入空間を金属板から形成した場合にも強度を確保することができる。
【０００９】
また、上記態様の端子において、前記端子挿入空間に前記接触方向に延びる接触片が設けられていてもよい。
接触方向に延在する接触片を設けることにより、相手端子との有効嵌合長を長くすることができる。
【００１０】
更に、上記態様の端子において、前記弾性変位部と前記ストッパ部材はそれぞれ前記接触方向に延在し、前記接触方向において前記弾性変位部と前記ストッパ部材はそれらの少なくとも一部で重複するのが好ましい。
弾性変位部とストッパ部材を少なくとも一部で重複させることにより、接触方向における端子の長さを小さくすることができる。
【００１１】
また、上記態様の端子において、前記ストッパ部材は、前記相手端子との接触側に、前記接触部の挙動時に該接触部と衝突可能な縁部を含んでもよい。
【００１２】
また、上記態様の端子において、前記弾性変位部は、前記端子の内部に向かって折り曲げられているのが好ましい。
折曲部を設けることにより、弾性をより効果的に発揮させることができ、また、内部向かって折り曲げることにより、折曲部によって端子が大型になることを防止できる。
【００１３】
更に、上記態様の端子において、前記端子は一枚の金属板から形成されていてもよい。
【００１４】
また、本発明の一態様によるコネクタは、上記態様の端子が複数配列されたコネクタをであってもよい特徴とする。
【００１５】
更に、本発明の他の態様によるコネクタは、複数の上記態様の端子と、ハウジングと、を有し、前記ハウジングには、複数の前記端子がそれぞれ設置される複数の端子設置空間が配列されており、複数の前記端子設置空間は各々、前記ハウジングに設けた挿通口と連通しており、前記端子の固定部は、前記端子設置空間に固定され、前記端子の接触部は、前記端子設置空間に遊挿され、前記弾性変位部を通じて遊動可能に設けられていることを特徴とする。
【００１６】
上記態様のコネクタにおいて、前記端子は、前記接触部と、前記ストッパ部材及び前記固定部を前記接触方向に沿って有しており、前記端子は更に、前記ストッパ部材及び前記固定部の、前記接触部とは反対側の端部に、前記接触方向に沿って延びる接続部を有しており、複数の前記接続部は各々、ＦＰＣ基板に設けた複数の貫通穴のそれぞれに挿通されていてもよい。
更に、上記コネクタと、前記相手端子が複数配列された相手コネクタと、から成るコネクタ装置を形成することもできる。
【発明の効果】
【００１７】
本発明によれば、相手端子との接触時にはハウジングの内部で接触部を遊動させることができる一方で、基板への実装時には基板との接続部と基板の所定の穴との位置決めを容易に行うことができる端子、この端子を用いたコネクタ、及び、このコネクタと相手コネクタとから成るコネクタ装置を提供することができる。更に、このような端子において、ハウジング内で端子が過剰に遊動することによって、端子が破壊されまた有効嵌合長が短くなることを防止することができる。
【図面の簡単な説明】
【００１８】
【図１】本発明の一実施形態によるコネクタ装置の斜視図であって、嵌合後の状態を示したものである。
【図２】本発明の一実施形態によるコネクタ装置の斜視図であって、嵌合前の状態を示したものである。
【図３】本発明の一実施形態による端子の斜視図である。
【図４】本発明の一実施形態による端子の斜視図である。
【図５】本発明の一実施形態によるコネクタの断面斜視図である。
【図６】本発明の一実施形態によるコネクタ装置の嵌合時の断面図である。
【図７】ストッパ部材を変形した端子の斜視図である。
【発明を実施するための形態】
【００１９】
以下、添付図面を参照しつつ、本発明の好適な一つの実施形態について説明する。一つの実施形態のみを示すが、勿論、これによって本発明を限定しようとするものではない。
【００２０】
図１、図２に、本発明の一実施形態によるコネクタ装置１の斜視図を示す。このコネクタ装置１は、本発明の一実施形態によるコネクタ２と相手コネクタ６との対で構成される。コネクタ２と相手コネクタ６は互いに自由に嵌合させることができ、また、嵌合を解除することができる。図１は、コネクタ２と相手コネクタ６を嵌合させた状態を、図２は、それらを嵌合させる前の状態を、それぞれ示す。
【００２１】
嵌合時には、コネクタ２のハウジング１１の先端側が、相手コネクタ６の相手ハウジング６１に設けた嵌合口６３に挿入される。この結果、それらコネクタの内部において、コネクタ２のハウジング１１に配列された複数の端子１０と、相手コネクタ６の相手ハウジング６１に配列された複数の相手端子６２がそれぞれ、接続される。
【００２２】
コネクタ２の端子１０は各々、例えば、その接続部３１をＦＰＣ７の貫通穴７１に挿通させた状態でＦＰＣ７に半田付けされる。一方、相手コネクタ６の相手端子６２は各々、例えば、基板３の所定位置に半田付けされる。この結果、これらの端子１０と相手端子６２の接続を通じて、基板３とＦＰＣ７とを電気的に接続させることができる。コネクタ２と相手コネクタ６の嵌合状態は、コネクタ２のハウジング１１に設けたロック手段１２を用いてロックすることもできる。端子１０がＦＰＣ基板７により確実に半田付けされるように、コネクタ２に、ＦＰＣ基板７との距離を定める突起１３を設けてもよく、また、コネクタ２とＦＰＣ基板７の固定を強化するため取り付け金具８を設けてもよい。取り付け金具８は、端子１０とともに、ＦＰＣ基板７に半田付けされる。
【００２３】
図３、図４は、端子１０の斜視図、図５は、コネクタ２の斜視図、更に言えば、端子１０を設けたコネクタ２の断面斜視図、図６は、コネクタ装置１の嵌合時の断面図、更に言えば、図１におけるＡ−Ａ線断面図である。
【００２４】
端子１０は、一枚の金属板を打ち抜いた後に、それを断面略矩形状に折り曲げることによって形成されている。一枚の金属板から形成されているため、端子１０に含まれる部分は全て互いに連結された状態にある。
【００２５】
端子１０は、相手端子との接触方向「α」に沿って、接触部２０と、固定部３０と、接触部２０と固定部３０を連結する弾性変位部４０と、更に、ストッパ部材５０を含む。
【００２６】
端子１０は、ハウジング１１の後側、即ち、相手端子６２との接触側とは反対側に設けた挿入口１５を通じて、ハウジング１１の端子設置空間１４に挿入され得る。端子設置空間１４は、ハウジング１１に、接触方向「α」に沿って複数配列されており、それらは各々、略四角箱状である。各端子設置空間１４への端子１０の挿入は、端子１０の前側、即ち、相手端子６２との接触側から、接触部２０、次いで、弾性変位部４０及びストッパ部材５０、最後に、固定部３０の順に行われる。これらの部分のうち、端子設置空間１４に固定されるのは、固定部３０のみである。従って、固定部３０を除き、端子設置空間１４への挿入はスムーズに行われる。特に、接触部２０は、端子設置空間１４内で遊動可能となるよう、換言すれば、自由に挙動できるよう、端子設置空間１４に遊挿される。
【００２７】
接触部２０は、接触方向「α」に沿って延びる略筒状の部材である。主に、底板２０ａ、右板２０ｂ、左板２０ｃ、上板２０ｄ、及び、上板２０ｄと連続した接触片２３から成る。便宜上、本明細書では、相手端子６２との接触側から見て、端子１０の下側、右側、左側、及び上側をそれぞれ、「底」、「右」、「左」、「上」と呼んで区別する。但し、便宜上の呼び方であって、いずれの方向を、「底」、「右」、「左」、「上」と規定するかは自由である（以下、同様）。
【００２８】
接触部２０の前側に、相手端子６２を誘い込むための曲面２１ａ、２１ｂが設けられている。曲面２１ａは、左板２０ｃを上方で水平に且つ前側から後側に向かって折り重ねることによって、また、曲面２１ｂは、底板２０ａを下方に折り曲げることによって、それぞれ形成されている。
【００２９】
上板２０ｄは、例えば、右板２０ｂの一部と左板２０ｃの一部を上方で水平に折り重ねることによって二重に形成されてもよい。二重に形成することにより強度を向上させている。一方、接触片２３は、例えば、右板２０ｂだけを折り曲げることによって一枚の板で形成されている。一枚の板とすることにより、相手端子６２との接触強度を十分に保ちつつ、接触時に加わる力を柔らかくしている。
【００３０】
接触部２０の内部には、相手端子６２が挿入される略筒状の端子挿入空間２２が規定されている。略筒状としたことにより、内部に挿入される相手端子６２をより確実に捕捉、位置決めすることができ、従って、相手端子６２と接触片２３との接触をより確実なものとすることができる。
【００３１】
接触片２３は、ハウジング１１の端部に設けた挿通口１６（図５参照）と連通した端子挿入空間２２の内部に延びる板状体である。接触片２３は、挿通口１６を通じて挿入される相手端子６２との接触方向「α」に沿って延在する。このように、接触片２３が延在する方向「α」と、接触片２３が相手端子６２と接触する方向「α」とを一致させることにより、有効嵌合長を大きくとることができる。
【００３２】
接触片２３の、相手端子６２との接触側には、自由端２３ｂが形成されている。端子挿入空間２２に相手端子６２が収容されたとき、接触片２３は、この自由端２３ｂの側から相手端子６２と接触し得る。相手端子６２との接触をより確実にするため、自由端２３ｂの中央付近は、端子挿入空間２２の内部へ向かって折り曲げられて、相手端子６２との接触部２３ａを形成している。
【００３３】
接触部２０は、弾性変位部４０の一端において、更に言えば、ハウジング１１に固定された固定部３０の側とは接触方向「α」において反対側の端部に接続されている。端子挿入空間２２に遊挿された接触部２０は、この弾性変位部４０の働きを利用して端子挿入空間２２において遊動することができ、従って、例えば、端子挿入空間２２に収容される相手端子６２の軸ズレを効果的に吸収することができる。
【００３４】
固定部３０は、接触方向「α」に沿って延びる少なくとも一部が圧入部材である。主に、断面視略コの字状の連結部分を含む後側及び前側の底板３０ａ、３０ｅと、右板３０ｂ、及び左板３０ｃから成る。右板３０ｂと左板３０ｃは、底板３０ａ、３０ｅを介して互いに連結されているが、これら以外の部分では切り離されている。固定部３０を設けた場合、ハウジング１１にランスを設ける必要がなくなることから、ハウジング１１を製造するための金型構造を簡易なものとすることができる。
【００３５】
右板３０ｂ及び左板３０ｃの上部には、鋸歯状の係止突部３３が上方に突出した状態で設けられている。右板３０ｂと左板３０ｃの上下方向における寸法、および、係止突部３３の上下方向における寸法は、端子設置空間１４の後側の寸法に合わせて設定されている。詳細には、右板３０ｂと左板３０ｃの上下方向における寸法は、接触部２０やストッパ部材５０の寸法、例えば、接触部２０の右板２０ｂや左板２０ｃの寸法よりも大きく設定されている。これに対応して、右板３０ｂと左板３０ｃが設置される端子設置空間１４には、上方に向かって溝１４ａが掘られている。右板３０ｂと左板３０ｃを、溝１４ａに沿わせることにより、端子１０は、端子設置空間１４に、その所定の高さ位置にて案内され、係止突部３３を利用して圧入固定される。端子１０を案内するため、端子設置空間１４には更に、端子１０の接触部２０の前側に設けた曲面２１ｂに対応する溝１４ｂ（図６参照）も設けられている。溝１４ｂは、接触方向「α」においてハウジング１１の挿通口１６付近にまで延びており、曲面２１ａとの衝突を防止するのに十分な大きさとされている。
【００３６】
右板３０ｂと左板３０ｃの上下の径方向における寸法は、このように、接触部２０やストッパ部材５０のそれより大きく、また、接触部２０やストッパ部材５０は、上下方向において、右板３０ｂと左板３０ｃの略中間位置に位置付けられていることから、接触部２０及びストッパ部材５０は、端子設置空間１４の内壁に対して上下に隙間を有する。この結果、接触部２０は、この隙間を利用して上下方向に挙動することができる。
【００３７】
右板３０ｂ及び左板３０ｃそれぞれの外面には、また、外側方に向かって凸部３４が設けられている。これらの凸部３４によって、端子設置空間１４に対する固定部３０の左右方向の位置が規定される。このように、凸部３４の左右の径方向における寸法は、接触部２０やストッパ部材５０のそれより大きいことから、接触部２０及びストッパ部材５０は、端子設置空間１４の内壁に対して左右に隙間を有する。この結果、接触部２０は、この隙間を利用して、左右方向にも挙動することができる。
まとめれば、接触部２０及びストッパ部材５０の上下左右の径方向における寸法は、固定部３０のそれより小さく設定されており、この結果、接触部２０は、端子設置空間１４に遊挿され、弾性変位部４０を通じて端子設置空間１４において遊動可能である。
【００３８】
左板３０ｃの後方の縁から更に後方に向かって、換言すれば、固定部３０の、ストッパ部材５０とは反対側の端部に、接触方向「α」に沿って細条の接続部３１が延びている。接続部３１は、ハウジング１１に固定された後も、ハウジング１１の外部に露出する露出部３１ａとなる。この露出部３１ａをＦＰＣ基板７の貫通穴７１に挿通させた状態で、端子１０を半田付けすることができる。ハウジング１１に端子１０を設ける際、端子１０の固定部３０は、その右板３０ｂ及び左板３０ｃや凸部３４を利用して端子設置空間１４に位置決めされ、この位置決めを通じて、接続部３１の先端側もまた、端子設置空間１４に対して位置決めされる。よって、接続部３１の先端側の複数の露出部３１ａの配列と、ＦＰＣ基板７の複数の貫通穴７１の配列とを容易に整合させることができ、複数の露出部３１ａを貫通穴７１に挿通させることが必要な場合にも、それらの位置ズレによって挿通作業等が妨げられてしまうようなこともない。接続部３１は、中間付近（３２）において端子１０の内部（コの字の内部）に向かう方向に折り曲げられてもよい。このような折曲部３２を設けることによって余長部を形成し、端子１０におけるストレスを吸収して半田クラックを防止することができる。
【００３９】
弾性変位部４０は、相手端子６２との接触側から見たきに、底面において接触方向「α」に沿って延びる板状の部材である。一方、ストッパ部材５０は、相手端子６２との接触側から見たきに、左右において接触方向「α」に沿って延びる対向する板状の部材である。これら弾性変位部４０とストッパ部材５０を利用して、接触部２０と同様に、略筒状の部材が形成されている。これら弾性変位部４０とストッパ部材５０は、接触方向「α」において互いに略重複した位置に配置されている。換言すれば、接触方向「α」に沿ってそれらの少なくとも一部は互いに重複している。この結果、接触方向「α」における端子１０の長さは小さくなっている。
【００４０】
弾性変位部４０の一方の端部、即ち、後側の端部は、固定部３０の底板３０ｅ等を介して実質的にハウジング１１に固定された状態で支持される。一方、弾性変位部４０の他方の端部、即ち、前側の端部は、実質的にハウジング１１には固定されておらず、接触部２０の底板２０ａに単に連結されている。この結果、弾性変位部４０の働きにより、端子設置空間１４に遊挿された接触部２０は、固定部３０の底板３０ｅを中心にフローティングすることができる。弾性変位部４０は、その中間付近において、折り曲げられているのが好ましい。折曲部４１を設けることにより、弾性作用を強化することができる。折曲部４１は、ストッパ部材５０によって形成された領域空間の内部に配置するのが好ましい。このように配置することにより、端子１０の大型化を防止することができる。弾性変位部４０は、ストッパ部材５０によって規定される前記領域空間の内部で自由に変位することができる。この変位に伴って、接触部２０もまた、端子設置空間１４の内部で自由に遊動することができる。
【００４１】
ストッパ部材５０は、主に、右板５０ｂ及び左板５０ｃから成る。ストッパ部材５０は、その前側において、換言すれば、相手端子６２との接触方向「α」において接触部２０と対向する側において、接触方向「α」において接触部２０から離間した状態で設けられている。ストッパ部材５０と接触部２０を離間させるため、それらの間に、例えばスリットによる隙間１７を設けてもよい。隙間１７を設けることにより、ストッパ部材５０の前側の縁部５２と、接触部２０の後側の縁部２４とが、互いに離間した状態で対向することになる。縁部５２と縁部２４は、このように互いに離間されているが、接触部２０の挙動時には、例えば、弾性変位部４０の働きを通じて互いに衝突可能な状態とされている。隙間１７の大きさは、このような衝突が可能な大きさに調整してある。ストッパ部材５０を設けたことにより、ハウジング１１内で端子１０が過剰に遊動することによって、また、「有効嵌合長」が短くなることを防止することができる。ここで「有効嵌合長」とは、コネクタ２と相手コネクタ６を嵌合させたときに、相手端子６２と、接触部２０の接触片２３、特に、その接触部２３ａとが、実際に接触を開始してから嵌合が終了するまでに、接触方向「α」において互いに接触している長さを意味する。端子１０の破壊を確実に防止するため、隙間１７の大きさは、この「有効嵌合長」よりも小さく設定するのが好ましい。尚、ストッパ部材５０は、端子設置空間１４に直接的には固定されていないが、固定部３０を通じて間接的に固定されているため、実質的には、固定部３０と同様に、端子設置空間１４に固定されたものとなっている。従って、接触部２０との衝突時に、ストッパ部材５０はストッパとして機能し得る。
【００４２】
本発明は、上述した実施の形態に限定されるわけではなく、その他種々の変更が可能である。例えば、端子は必ずしも金属板から形成する必要はなく、例えば、金型によって鋳物してもよい。
【００４３】
また、弾性変位部４０を支持する固定部３０の底板３０ｅにおいて、右板３０ｂと左板３０ｃは必ずしも連結されている必要はなく、右板３０ｂ又は左板３０ｃのいずれか一方のみによって、弾性変位部４０を支持してもよい。
【００４４】
また、隙間１７は、必ずしも、接触部２０とストッパ部材５０の間に設ける必要はなく、接触部２０とストッパ部材５０を連結し、隙間をストッパ部材５０と固定部３０の間に設けてもよい。この場合、ストッパ部材５０の後側の縁部と、固定部３０の前側の縁部とが、互いに離間した状態で対向することになり、固定部３０の左板と右板がストッパ部材の機能を兼ね備えることになる。
【００４５】
更に、対向する縁部の面は、平坦であってもよいが、曲面としてもよい。曲面とすることにより、衝突時における破損を抑制することができる。
【００４６】
図７に、ストッパ部材５０Ａを変形した端子１０Ａを示す。端子１０Ａにおいて、端子１０と同様の部材には同様の番号を付している。ストッパ部材５０Ａは、右板５０ｂと左板５０ｃに加えて、上板５０ｄを有する。上板５０ｄには更に、例えば、左右の側板５０ｂ、５０ｃをそれぞれの上方において端子１０の内側に向かって巻き込んだ状態で突き合わせることによって巻込部５１ｅが形成されている。上板５０ｄを設けたことにより、また、巻込部５１ｅを形成したことにより、ストッパ部材５０の強度が高められている。従って、接触部２０との衝突時にも、ストッパ部材５０Ａが、容易に変形、破壊されてしまうことはない。
【符号の説明】
【００４７】
１  コネクタ装置
２  コネクタ
３  基板
６  相手コネクタ
６１  相手ハウジング
６２  相手端子
７  ＦＰＣ基板
７１  貫通穴
１０  端子
１１  ハウジング
１４  端子設置空間
１７  隙間
２０  接触部
２２  端子挿入空間
２４  縁部
３０  固定部
４０  弾性変位部
５０  ストッパ部材
５２  縁部
【図１】
2019153490.tif 000003
【図２】
2019153490.tif 000004
【図３】
2019153490.tif 000005
【図４】
2019153490.tif 000006
【図５】
2019153490.tif 000007
【図６】
2019153490.tif 000008
【図７】
2019153490.tif 000009